(57)【要約】      （修正有）【課題】包装テープ等のテープの切断個所がばらけてしまうのを抑えることができるテープ切断装置を提供する。【解決手段】テープ切断装置１０は、使用者の握力によって近づく第１把持部材１２、第２把持部材１４と、第１把持部材１２と第２把持部材１４とが近づいたときに接触する第１導電体２０と第２導電体２２と、第２把持部材１４に設けられ、電源２４が設置される電源設置部と、第１把持部材１２に設けられ、乾電池２４が設置された状態で第１導電体２０と第２導電体２２が接触したときに閉回路が形成されるように設置された電熱線２８とを有する。閉回路が形成されたときに電熱線２８で発生する熱によってテープＴが切断される。使用者の握力から解放されると、閉回路は遮断され、電熱線２８から熱が発生しなくなる。【選択図】図１
0003140417.tif 000002
【実用新案登録請求の範囲】
【請求項１】
一対の部材と、
前記一対の部材が接近して接触する一対の導電部材を、
電源設置部と、
前記電源設置部に電源が設置された状態で前記一対の導電部材が接触したときに閉回路が形成されるように配置された導線と、を有し、
前記導線の少なくとも一部は熱電線であり、前記閉回路が形成されたときに前記電熱線で発生する熱によってテープを切断するテープ切断装置。
【請求項２】
前記電熱線の少なくとも一部は前記部材から露出しており、この露出部でテープを切断する請求項１に記載のテープ切断装置。
【請求項３】
前記一対の導電部材の少なくとも一方は弾性体である請求項１に記載のテープ切断装置。
【請求項４】
前記一対の導電部材の少なくとも一方は弾性体である請求項２に記載のテープ切断装置。
【考案の詳細な説明】
【技術分野】
【０００１】  本考案は、包装テープ等のテープが簡易に、かつきれいに切断できるテープ切断装置に関するものである。
【背景技術】
【０００２】  包装テープを切断する際には、カッターナイフが使用されている。しかし、包装テープをカッターナイフで切断すると、包装テープの切断個所がばらけてしまう。
【考案の開示】
【考案が解決しようとする課題】
【０００３】  本考案が解決しようとする課題は、包装テープ等のテープの切断個所がばらけてしまうことである。
【課題を解決するための手段】
【０００４】  本考案は、一対の部材と、一対の部材が接近して接触する一対の導電部材と、電源設置部と、電源設置部に電源が設置された状態で一対の導電部材が接触したときに閉回路が形成されるように配置された導線と、を有し、導線の少なくとも一部は熱電線であり、閉回路が形成されたときに電熱線で発生する熱によってテープを切断するテープ切断装置である。
【考案の効果】
【０００５】  本考案のテープ切断装置を用いれば、テープが熱によって切断されるので、切断個所がばらけてしまうのを抑えることができる。これは、包装テープ以外のテープについても言える。
【考案を実施するための最良の形態】
【０００６】  図１は、本考案の実施の形態に係るテープ切断装置１０の側面（一部断面）を示す。テープを切断する者は、ステープラを使用する動作と同様にして、テープ切断装置１０を使用する。【０００７】  テープ切断装置１０は、一対の部材である第１把持部材１２と第２把持部材１４とを備える。テープを切断する者がテープ切断装置１０の握りを強くしていくと、第１把持部材１２と第２把持部材１４は相対的に近づいていく。第１把持部材１２と第２把持部材１４が近づいたり離れたりする仕組みはステープラと同様である。【０００８】  すなわち、第１把持部材１２と第２把持部材１４の一端側がヒンジ機構１６で接続されており、ヒンジ機構１６付近であって第１把持部材１２と第２把持部材１４の間にバネ１８が設置されている。そして、テープ切断装置１０に握力が与えられると、第１把持部材１２と第２把持部材１４が相対的に近づき、テープ切断装置１０から握力が解放されると、第１把持部材１２と第２把持部材１４が相対的に離れていき、所定の間隔で静止する。【０００９】  なお、本実施の形態のテープ切断装置１０に採用されているヒンジ機構１６とバネ１８を組み合わせた構成に代えて、例えば、第１把持部材１２の両端と第２把持部材１４の両端との間に２つのバネを設けた構成であってもよい。【００１０】  第１把持部材１２と第２把持部材１４が近づき所定の距離になると、第１把持部材１２に設けられた第１導電体２０と、第２把持部材１４に設けられた第２導電体２２とが接触する。第１導電体２０は略円柱形状を有する金属で、その一部が第１把持部材１２の第２把持部材１４と対向する面から露出している。【００１１】  第２導電体２２は、金属製のコイルばねから構成され、第２把持部材１４の第１把持部材１２と対向する面から埋没した状態で設置されている。したがって、第１導電体２０の一部は、第２把持部材１４の第１把持部材１２と対向する面から第２把持部材１４に入った状態で第２導電体２２と接触する。一対の導電部材の少なくとも一方が弾性体であるので、すなわち、本実施の形態では第２導電体２２がコイルばねで構成されているので、握力の加減によって、第１導電体２０と第２導電体２２が接触したまま第１把持部材１２と第２把持部材１４の距離を微調整できる。なお、双方の導電体が弾性体であってもよい。【００１２】  なお、本実施の形態に代えて、第１導電体２０が第１把持部材１２に埋没した状態で設置され、第２導電体２２が第２把持部材１４から突出した状態で設置されていてもよい。すなわち、一方の導電体が把持部材の対向面から突出していればよい。また、双方の導電体が把持部材の対向面から突出するように設けられていてもよい。なお、本実施の形態に係る第１導電体２０と第２導電体２２代えて、双方の導電体が非弾性体であってもよい。【００１３】  第２把持部材１４には、乾電池２４等の電源が設置される電源設置部２６が設けられている。また、第１導電体２０と電源設置部２６の一端の間と、電源設置部２６の他端と第２導電体２２の間は、導線２７によって電気的に接続されている。そして、導線２７の一部は、ニクロム線等の電熱線２８によって構成されている。【００１４】  電熱線２８は、第１把持部材１２の第２把持部材１４と対向する面に露出するように設けられている。第１把持部材１２の少なくとも電熱線２８と接触する面は、電熱線２８の発熱によって損傷しないように耐熱処理が施されている。耐熱処理としては、例えばセラミックス等の耐熱性素材を第１把持部材１２の表面に設けること、耐熱塗料を第１把持部材１２の表面に塗布すること、第１把持部材１２を耐熱性材料によって構成することが挙げられる。【００１５】  電源設置部２６に電源が設置された状態で、第１導電体２０と第２導電体２２とが接触したときに、電熱線２８を含む閉回路が形成される。つまり、第１導電体２０と第２導電体２２は、この回路のスイッチとして機能する。なお、本実施の形態に代えて、電熱線２８の第２把持部材１４と対向する面を凹凸構造にすることによって、電熱線２８がテープＴと接触しやすい個所を設けてもよい。この凹凸構造は、電熱線２８自体の形状によって作製してもよいし、電熱線２８を波状に配置することによって作製してもよい。【００１６】  つぎに、テープ切断装置１０の使用方法について説明する。まず、電源設置部２６に電源を設置した状態で、テープＴの切断したい部分を第１把持部材１２と第２把持部材１４との間に配置する（図１参照）。ここでテープＴは、樹脂、紙、繊維等の熱によって切断される材質から構成されている。【００１７】  つづいて、テープ切断装置１０に対して、使用者が図１の矢示方向に握力を与える。これによって、第１導電体２０と第２導電体２２とが接触し、電熱線２８を含む閉回路が形成される。こうして、電流が流れる電熱線２８は発熱する。テープＴは、電熱線２８に接触しており、電熱線２８で発生した熱によって切断される。テープＴが切断された後、テープ切断装置１０から握力を解放すると、第１導電体２０と第２導電体２２とが離れ、回路が遮断されて電熱線２８に電流が流れなくなる。【００１８】  なお、電源設置部２６を第１把持部材１２に設けてもよいし、電熱線２８を第２把持部材１４の第１把持部材１２と対向する面に設けてもよい。また、第２導電体２２に上部に開閉式の蓋を設けて、不意に閉回路が形成されるのを防ぐようにしてもよい。
【図面の簡単な説明】
【００１９】
【図１】本実施の形態に係るテープ切断装置の一部が断面図である側面図である。
【符号の説明】
【００２０】  １０  テープ切断装置
１２  第１把持部材
１４  第２把持部材
１６  ヒンジ機構
１８  バネ
２０  第１導電体
２２  第２導電体
２４  乾電池
２６  電源設置部
２７  導線
２８  電熱線
Ｔ    テープ
【図１】
0003140417.tif 000003